(57)【要約】【課題】  プリント基板とメス型端子の電気的接続の信頼性を向上させ、機械的強度を向上させた電気接続箱の接続端子構造を提供する。【解決手段】  平板状のオス型端子２０を挟持する端子保持部２を備えるメス型端子１０を、電気接続箱の回路部分を基板化したプリント基板３０に取り付けた電気接続箱の接続端子において、前記メス型端子１０を、プリント基板３０に対して水平に配置される薄板状の平板部１と、当該平板部１の左右両端を上方に折り曲げて形成した端子保持部２と、当該平板部１の前後両端を下方に折り曲げて形成した支持部３ａ，３ｂとから構成し、プリント基板３０に形成した複数の取付孔３１ａ，３１ｂに前記支持部３ａ，３ｂの先端をそれぞれ挿入するとともに、当該支持部３ａ，３ｂの先端をプリント基板３０の裏面で直接半田付けしてプリント基板にメス型端子を取り付けた。【選択図】        図１
2006066123.tif 000002
【特許請求の範囲】
【請求項１】
平板状のオス型端子（２０）を挟持する端子保持部（２）を備えるメス型端子（１０）を、電気接続箱の回路部分を基板化したプリント基板（３０）に取り付けた電気接続箱の接続端子において、
前記メス型端子（１０）を、プリント基板（３０）に対して水平に配置される薄板状の平板部（１）と、当該平板部（１）の左右両端を上方に折り曲げて形成した端子保持部（２）と、当該平板部（１）の前後両端を下方に折り曲げて形成した支持部（３ａ，３ｂ）とから構成し、
プリント基板（３０）に形成した複数の取付孔（３１ａ，３１ｂ）に前記支持部（３ａ，３ｂ）の先端をそれぞれ挿入するとともに、その先端をプリント基板（３０）の裏面で直接半田付けすることによって、プリント基板（３０）にメス型端子（１０）を取り付けたことを特徴とする電気接続箱の接続端子構造。
【請求項２】
平板部（１）の前後両端を下方に折り曲げて形成した支持部にスリットを入れ、複数に分岐させたことを特徴とする請求項１に記載の電気接続箱の接続端子構造。
【発明の詳細な説明】
【技術分野】
【０００１】
本発明は、自動車等に搭載される電気接続箱に関し、安価で機械的・電気的性能に優れた電気接続箱用の端子構造に関する。
【背景技術】
【０００２】
一般に、自動車用電装品のワイヤハーネスの電気接続部を集約し、ヒューズ等を一箇所にまとめるために電気接続箱が用いられている。
電気接続箱は、ハウジング、バスパー、インシュレーションパネル、ベースなどから構成されるが、近年、自動車のエレクトロニクス化の進展に伴い、電気接続箱の小型化、低コスト化に対する要求が高まっており、バスパー、インシュレーションパネルにより構成される回路部分をプリント基板化し、このプリント基板に接続端子を直接半田付けして部品点数の削減、小型化、低コスト化を実現している。（例えば、特許文献１及び２を参照）
図５及び図６を参照して、従来技術による電気接続箱の接続端子構造を説明する。
図５に示すように、電気接続箱の接続端子構造では、平板状のオス型端子２０を挟持（保持）する端子保持部１０２を備えるメス型端子１００を、電気接続箱の回路部分を基板化したプリント基板３０に取り付ける。なおメス型端子１００は、プリント基板３０に対して水平に配置される薄板状の平板部１０１と、当該平板部１０１の左右両端を上方に折り曲げることによって形成した端子保持部１０２と、当該平板部１０１の一端を下方に折り曲げることによって形成した支持部１０３とから構成される。
前記端子保持部１０２は、薄板状の平板部１０１に対して左右両端を垂直に折り曲げて形成した折曲部１１１ａ，１１１ｂと、当該折曲部の先端をループ型に折り曲げて形成した対向する一対のバネ片１１２ａ，１１２ｂとから形成され、対向する一対のバネ片１１２ａ，１１２ｂで挟み込むようにして平板状のオス型端子２０を挟持（保持）し、端子間の電気的接続を図る（図６（ａ）を参照）。
またプリント基板３０には取付孔３１が形成され、当該取付孔３１にメス型端子１００の支持部１０３の先端を挿入し、プリント基板３０にメス型端子１００を取り付ける。なお、その先端が取付孔３１に挿入された支持部１０３はプリント基板３０に対して垂直に配置され、当該支持部１０３の上部に配置される端子保持部１０２を支持する（図６（ａ）を参照）。
また図６（ｂ）に示すように、支持部１０３の先端を挿入した取付孔３１の周囲には、プリント基板３０の回路部分に接続するランド部３２が形成されており、前記ランド部３２を覆うようにして、プリント基板３０の裏面で支持部１０３の先端を半田付けすることによって、プリント基板３０の回路部分とメス型端子１００との電気的接続を図っている。
すなわち従来技術による接続端子構造では、プリント基板３０に対して垂直に配置される１つの支持部１０３のみによって、当該支持部１０３の上部に配置される端子保持部１０２を支えるとともに、取付孔３１に挿入した前記支持部１０３の先端をプリント基板３０の裏面で直接半田付けしてプリント基板３０にメス型端子１００を取り付けることによって、プリント基板３０の回路部分とメス型端子１００の電気的接続を確保していた。
【特許文献１】特開平１０−１８９０８５号公報（図２）
【特許文献２】特開２００２−２７０２６３号公報（図１３）
【発明の開示】
【発明が解決しようとする課題】
【０００３】
平板部１の左右両端を上方に折り曲げた折曲部の先端をループ型に折り曲げて形成した対向する一対のバネ片１１２ａ，１１２ｂで平板状のオス型端子２０を左右から挟持する端子保持部１０２と、平板部の一端を下方に折り曲げて形成した１つの支持部１０３からなるメス型端子１００をプリント基板３０に取り付けた電気接続箱の接続端子構造では、メス型端子の安定性が悪く、電気的接続の信頼性や機械的強度が十分とは言い難かった。
【課題を解決するための手段】
【０００４】
そこで、この発明によれば、平板状のオス型端子を挟持する端子保持部を備えるメス型端子を、電気接続箱の回路部分を基板化したプリント基板に取り付けた電気接続箱の接続端子において、前記メス型端子を、プリント基板に対して水平に配置される薄板状の平板部と、当該平板部の左右両端を上方に折り曲げて形成した端子保持部と、当該平板部の前後両端を下方に折り曲げて形成した支持部とから構成し、プリント基板に形成した取付孔に支持部の先端をそれぞれ挿入するとともに、その先端をプリント基板の裏面で直接半田付けしてプリント基板にメス型端子を取り付けた。
【発明の効果】
【０００５】
この発明によれば、プリント基板に対して水平に配置される薄板状の平板部の左右両端を上方に折り曲げて形成した端子保持部と、当該平板部の前後両端を下方に折り曲げて形成した支持部とから構成されるメス型端子を、電気接続部分の回路部分を基板化したプリント基板に直接半田付けして取り付けることによって、複数の支持部によってメス型端子をプリント基板に取り付けるため、プリント基板に対するメス型端子の電気的信頼性と機械的信頼性を大幅に向上させることができる。
【発明を実施するための最良の形態】
【０００６】
本発明の実施例による電気接続箱の接続端子構造を、図１乃至図４を参照して説明する。
【０００７】
図１及び図２は、この発明の第１実施例による電気接続箱の接続端子構造を説明する図である。
平板状のオス型端子２０を挟持（保持）する端子保持部２を備えるメス型端子１０を、電気接続箱の回路部分を基板化したプリント基板３０に取り付けた電気接続箱の接続端子において、図１に示す実施例のメス型端子１０は、プリント基板３０に対して水平に配置される薄板状の平板部１と、当該平板部１の左右両端を上方に折り曲げて形成した端子保持部２と、当該平板部１の前後両端を下方に折り曲げて形成した支持部３ａ，３ｂとから構成される（図１（ａ）及び（ｂ）を参照）。
【０００８】
電気接続箱の回路部分を基板化したプリント基板３０には、メス型端子１０の支持部３ａ，３ｂの先端がそれそれ挿入される取付孔３１ａ，３１ｂが形成されている。
そして前記取付孔３１ａ，３１ｂに挿入された支持部３ａ，３ｂの先端を、プリント基板３０の裏面で直接半田付けし、メス型端子１０をプリント基板３０に取り付けた。
なお取付孔３１ａ，３１ｂの周囲には、プリント基板３０の回路部分に接続するランド部（図示せず）が形成され、前記ランド部を覆うようにプリント基板３０の裏面で支持部３ａ，３ｂの先端を半田付けすることによって、プリント基板３０の回路部分とメス型端子１０との電気的接続を図っている。
すなわち、取付孔３１に挿入した前記支持部３ａ，３ｂの先端をプリント基板３０の裏面で直接半田付けしてプリント基板３０にメス型端子１０を取り付けることによって、プリント基板３０の回路部分とメス型端子１０との電気的接続を確保するとともに、プリント基板３０に対して垂直に配置された複数（２つ）の支持部３ａ，３ｂによって、当該支持部の上部に配置される端子保持部２を支えるように構成した。なお、プリント基板３０に接地しないように配置された平板部１が、プリント基板３０に対して水平に配置されるように、端子保持部２を複数の支持部３ａ，３ｂで支持し、メス型端子１０をプリント基板３０に取り付けた。
【０００９】
また図２に示すように、メス型端子１０の平板部１の上部に形成された端子保持部２は、薄板状の平板部１の左右両端を垂直に折り曲げた折曲部１１ａ，１１ｂと、当該折曲部の先端を内側にループ型に折り曲げて形成した対向する一対のバネ片１２ａ，１２ｂとからなり、端子保持部２に差し込まれた平板状のオス型端子２０を、対向する一対のバネ片１２ａ，１２ｂで挟持（保持）することによって、端子間の電気的接続を図っている。
なお対向する一対のバネ片１２ａ，１２ｂの間隙を、平板状のオス型端子２０の厚みより小さく構成することによって、端子保持部２におけるオス型端子２０の挟持力を大きくすることができる。
【００１０】
この発明による第１実施例では、平板部１の前後両端を折り曲げて形成した一対の支持部３ａ，３ｂによって、プリント基板３０に対して水平に配置される平板部１が支えられているため、メス型端子１０を安定して固定することができる。
また平板部１の左右両端を折り曲げて形成した端子保持部２によって、平板状のオス型端子２０を挟持（挟持）し、かつ平板部１の前後両端を折り曲げて形成した支持部３ａ，３ｂの先端を半田付けすることによってメス型端子１０をプリント基板３０に固定したため、前記オス型端子２０によって挟持面（バネ片の表面）に対して大きな力がかかっても、薄板状の平板部１を折り曲げて形成した支持部３ａ，３ｂの厚み方向ではなく幅方向に前記の力がかかり、プリント基板３０に対してメス型端子１０（平板部１）が倒れることがない。
つまり、プリント基板３０に水平に配置される平板部１の左右両端を折り曲げて形成した端子保持部２を備えるメス型端子１０をプリント基板３０に取り付けるにあたって、前記平板部１の前後両端を折り曲げて複数の支持部３ａ，３ｂを形成し、当該支持部３ａ，３ｂをプリント基板３０に形成した複数の取付孔３１ａ，３１ｂにそれぞれ挿入し、その先端をプリント基板３０に直接半田付けしてプリント基板３０にメス型端子１０を取り付けた電気接続箱の接続端子構造では、プリント基板３０と接続端子（メス型端子１０）との電気的接続の信頼性が向上するとともに、安定した固定によって機械的強度を向上させることができる。
さらにプリント基板３０の裏面において複数（２つ）の支持部３ａ，３ｂの先端を直接半田付けし、前記２ヶ所の半田付け部分において、それぞれプリント基板３０の回路部分との接続を図りつつプリント基板３０にメス型端子１０を取り付けることによって、何れか１ヶ所の半田付け部分（半田接続部）に不良が発生しても（半田接続部が破壊されても）、残りの半田付け部分（半田接続部）で電気的接続を図ることができ、電気的信頼性が高くなる。
【００１１】
次に図３を参照して、この発明による第２実施例による電気接続箱の接続端子構造を説明するとともに、図４を参照して、この発明による第３実施例による電気接続箱の接続端子構造を説明する。
【００１２】
図３及び図４に示す実施例では、平板状のオス型端子２０を挟持（保持）する端子保持部２を備えるメス型端子１０´（または１０´´）を、電気接続箱の回路部分を基板化したプリント基板３０に取り付けた電気接続箱の接続端子において、図１及び図２に示す第１実施例と同様に、メス型端子１０´（または１０´´）は、プリント基板３０に対して水平に配置される薄板状の平板部１と、当該平板部１の左右両端を上方に折り曲げて形成した端子保持部２と、当該平板部１の前後両端を下方に折り曲げて形成した支持部とから構成される。
【００１３】
そして図３に示す実施例のメス型端子１０´の支持部では、平板部１の前後両端を下方に折り曲げて形成した２つの支持部３ａ，３ｂの先端にスリットが入れられ、２つの支持部３ａ，３ｂの先端がそれぞれ２つずつに分岐している（３ｃ，３ｄ，３ｅ，３ｆ）。
そしてプリント基板３０には、前記４つの支持部の先端３ｃ〜３ｆが挿入される４つの取付孔３１ｃ〜３１ｆが形成され、当該取付孔３１ｃ〜３１ｆに挿入した支持部の先端３ｃ〜３ｆを、プリント基板３０の裏面で直接半田付けして、プリント基板３０とメス型端子１０´との電気的接続を図っている。
【００１４】
一方、図４に示す実施例のメス型端子１０´´の支持部は、平板部１の前後両端を下方に折り曲げるとともに、一方のみにスリットが入れられ、前後に計３つの支持部（３ｇ，３ｈ，３ｉ）が形成されている。つまり平板部１の前方に、下方に延びる２つの支持部３ｇ，３ｈが形成され、平板部１の後方に、下方に延びる１つの支持部３ｉが形成されている。
そしてプリント基板には、前記支持部３ｇ〜３ｉの先端が挿入される３つの取付孔３１ｇ〜３ｉが形成され、当該取付孔３１ｇ〜３１ｉに挿入した支持部３ｇ〜３ｉの先端を、プリント基板３０の裏面で直接半田付けして、プリント基板３０とメス型端子１０´´との電気的接続を図っている。
【図面の簡単な説明】
【００１５】
【図１】この発明の第１実施例による電気接続箱の接続端子のメス型端子を説明する図である。
【図２】この発明の第１実施例による電気接続箱の接続端子構造を説明する図である。
【図３】この発明の第２実施例による電気接続箱の接続端子構造を説明する図である。
【図４】この発明の第３実施例による電気接続箱の接続端子構造を説明する図である。
【図５】従来技術による電気接続箱の接続端子のメス型端子を説明する図である。
【図６】従来技術による電気接続箱の接続端子構造を説明する図である。
【符号の説明】
【００１６】
１    平板部
２    端子保持部
１１ａ，１１ｂ    折曲部
１２ａ，１２ｂ    バネ片
３ａ〜３ｉ    支持部
１０、１０´、１０´´    メス型端子
２０    オス型端子
３０    プリント基板
３１    取付孔
３２    ランド部
【図１】
2006066123.tif 000003
【図２】
2006066123.tif 000004
【図３】
2006066123.tif 000005
【図４】
2006066123.tif 000006
【図５】
2006066123.tif 000007
【図６】
2006066123.tif 000008